(57)【特許請求の範囲】
【請求項１】
空気清浄機本体と、メンテナンス用の開閉カバーと、開閉カバーを開けたときに取り出し可能な空気フィルタとを有し、空気清浄機本体に通電をオンオフする安全スイッチを設け、開閉カバーに安全スイッチをオンオフするスイッチ押圧部を設けてなる空気清浄機において、空気フィルタからスイッチ介在部を突設し、このスイッチ介在部を介してスイッチ押圧部が安全スイッチをオンするようにしたことを特徴とする空気清浄機。
【請求項２】
空気清浄機本体と、メンテナンス用の開閉カバーと、開閉カバーを開けたときに取り出し可能な空気フィルタとを有し、空気清浄機本体に通電をオンオフする安全スイッチを設け、開閉カバーに安全スイッチをオンオフするスイッチ押圧部を設けてなる空気清浄機において、空気フィルタからスイッチ介在部を突設し、空気フィルタの装着時にスイッチ介在部が安全スイッチの前方に位置保持されるとともに、開閉カバーの装着時にスイッチ押圧部によりスイッチ介在部が後方に押圧移動して安全スイッチをオンするようにしたことを特徴とする空気清浄機。
【請求項３】
スイッチ介在部を弾性体により形成し、スイッチ押圧部の押圧による弾性変形によりスイッチ介在部が押圧移動するようになしたことを特徴とする請求項２に記載の空気清浄機。
【請求項４】
空気フィルタにスイッチ介在部を前方に押圧付勢する弾性材を設け、このバネ材のバネ力に抗するスイッチ押圧部の押圧によりスイッチ介在部が押圧移動するようになしたことを特徴とする請求項２記載の空気清浄機。
【請求項５】
スイッチ介在部の押圧移動の方向が安全スイッチへ向かう方向と一致するようガイドするガイド部を空気清浄機本体又は空気フィルタに設けてなることを特徴とする請求項２乃至４のいずれかに記載の空気清浄機。
【請求項６】
空気清浄機本体と、メンテナンス用の開閉カバーと、開閉カバーを開けたときに取り出し可能な空気フィルタとを有し、空気清浄機本体に通電をオンオフする安全スイッチを設け、開閉カバーに安全スイッチをオンオフするスイッチ押圧部を設けてなる空気清浄機において、空気フィルタに扉押し込み部を設け、空気清浄機本体には該押し込み部が押し込まれることで回転する回転扉を設けることで、空気フィルタの装着によって開口し空気フィルタの取り外しによって閉口する開閉部を空気清浄機本体に設け、この開閉部の開口に挿入可能な挿入片を開閉カバーに設けてなることを特徴とする空気清浄機。
【発明の詳細な説明】
【０００１】
【発明の属する技術分野】
本発明は、空気を吸引し、その空気中の煙・埃・塵などの汚染物質を集塵し、空気を浄化して外部に排出する空気清浄機に関するものである。
【０００２】
【従来の技術】
従来、図７に示すように、この種の空気清浄機の中に、偏平な箱型の空気清浄機本体１の前面に、メンテナンス用の開閉カバー２を開閉自在に取り付け、空気清浄機本体１の底面に吸気口を設け、前面上側に排気口を設けたものがある。吸気口から排気口へ通じる通気路の途中に集塵用の空気フィルタ３が設けられ、このフィルタは、開閉カバー２を開けたときに取り外しできるように、空気清浄機本体１の前面に開口を有する収納部に収納されている。このフィルタは、通気路内の煙・埃・塵などの汚染物質を集塵するため、開閉カバー２を取り外して定期的に新品と交換する必要がある。開閉カバー２の取り外しの際には、専用の安全機構、例えばインターロックスイッチなどの安全スイッチ４をオフして通電を停止するようにしている。
【０００３】
【発明が解決しようとする課題】
しかしながら、上記従来の空気清浄機では、開閉カバーを取り付けたときに開閉カバーに隠れて空気フィルタが見えないため、メンテナンス時に取り外し空気フィルタを新品と交換するのを忘れて空気フィルタがない状態で開閉カバーを取り付けてしまうことがあり、このまま使用されると空気清浄機としての役目を果たさないことがある。空気フィルタの集塵効果は目では判断できないことがあり、外からでは空気フィルタの有無が確認できず、開閉カバーを開けたときに空気フィルタがないことに初めて気がつくこともあり、メンテナンス時には慎重に交換作業を行わなければならないという問題がある。
【０００４】
また、開閉カバーと同様に空気フィルタのないときにインターロックスイッチなどをオフして通電を停止したり、あるいは表示装置をオンさせて空気フィルタの有無を知らせるなどの構成も考えられるが、そのために部品点数が増加してコスト高になるという問題ある。
【０００５】
本発明は、上記事由に鑑みてなしたもので、その目的とするところは、空気フィルタの有無を簡単に知ることができる安価な構造を有する空気清浄機を提供することにある。
【０００６】
【課題を解決するための手段】
上記目的を達成するために、請求項１記載の発明では、空気清浄機本体と、メンテナンス用の開閉カバーと、開閉カバーを開けたときに取り出し可能な空気フィルタとを有し、空気清浄機本体に通電をオンオフする安全スイッチを設け、開閉カバーに安全スイッチをオンオフするスイッチ押圧部を設けてなる空気清浄機において、空気フィルタからスイッチ介在部を突設し、このスイッチ介在部を介してスイッチ押圧部が安全スイッチをオンするようにしたことを特徴として構成している。
【０００７】
このような空気清浄機では、開閉カバーを取り付けた状態では、開閉カバーのスイッチ押圧部が空気フィルタから突設したスイッチ介在部を介して安全スイッチをオン状態に保持し、開閉カバーを取り外した状態では、開閉カバーのスイッチ押圧部が空気フィルタのスイッチ介在部を押圧せずに安全スイッチをオフ状態に保持している。
【０００８】
また、請求項２記載の発明では、空気清浄機本体と、メンテナンス用の開閉カバーと、開閉カバーを開けたときに取り出し可能な空気フィルタとを有し、空気清浄機本体に通電をオンオフする安全スイッチを設け、開閉カバーに安全スイッチをオンオフするスイッチ押圧部を設けてなる空気清浄機において、空気フィルタからスイッチ介在部を突設し、空気フィルタの装着時にスイッチ介在部が安全スイッチの前方に位置保持されるとともに、開閉カバーの装着時にスイッチ押圧部によりスイッチ介在部が後方に押圧移動して安全スイッチをオンするようにしたことを特徴として構成している。
【０００９】
このような空気清浄機では、開閉カバーを取り付けた状態では、開閉カバーのスイッチ押圧部が空気フィルタから突設したスイッチ介在部を介して安全スイッチをオン状態に保持し、開閉カバーを取り外した状態では、開閉カバーのスイッチ押圧部が空気フィルタのスイッチ介在部を押圧せずに安全スイッチをオフ状態に保持している。また、空気フィルタの装着時にスイッチ介在部が安全スイッチの前方に位置保持されるとともに、開閉カバーの装着時にスイッチ押圧部によりスイッチ介在部が後方に押圧移動して安全スイッチをオンするようにしたため、空気フィルタを装着して開閉カバーを装着しない状態では、スイッチ介在部が後方に押圧移動せず、安全スイッチの前方に位置保持されているため、空気フィルタの装着だけでは安全スイッチがオンせず安全になっている。
【００１０】
また、請求項３記載の発明では、請求項２記載の発明において、スイッチ介在部を弾性体により形成し、スイッチ押圧部の押圧による弾性変形によりスイッチ介在部が押圧移動するようになしたことを特徴として構成している。
【００１１】
このような空気清浄機では、スイッチ介在部を弾性体により形成し、スイッチ押圧部の押圧による弾性変形によりスイッチ介在部が押圧移動するようにしたため、スイッチ介在部を弾性体により形成するだけで、簡単にスイッチ介在部の後方への押圧移動を実現できる。
【００１２】
また、請求項４記載の発明では、請求項２記載の発明において、空気フィルタにスイッチ介在部を前方に押圧付勢する弾性材を設け、この弾性材の弾性力に抗するスイッチ押圧部の押圧によりスイッチ介在部が押圧移動するようになしたことを特徴として構成している。
【００１３】
このような空気清浄機では、空気フィルタにスイッチ介在部を前方に押圧付勢する弾性材を設け、この弾性材の弾性力に抗するスイッチ押圧部の押圧によりスイッチ介在部が押圧移動するようにしたため、空気フィルタの装着時には、弾性材の弾性力によってスイッチ介在部が安全スイッチの前方に位置保持され、開閉カバーの装着時には、スイッチ押圧部がスイッチ介在部を後方に押圧することによって弾性材が縮み、スイッチ介在部が後方移動して安全スイッチをオンしている。この弾性材によって簡単にスイッチ介在部の後方への押圧移動を実現できる。
【００１４】
また、請求項５記載の発明では、請求項２乃至４のいずれかに記載の発明において、スイッチ介在部の押圧移動の方向が安全スイッチへ向かう方向と一致するようガイドするガイド部を空気清浄機本体又は空気フィルタに設けてなることを特徴として構成している。
【００１５】
このような空気清浄機では、スイッチ介在部の押圧移動の方向が安全スイッチへ向かう方向と一致するようガイドするガイド部を空気清浄機本体又は空気フィルタに設けているため、押圧移動する安全スイッチがガイド部にガイドされて確実に安全スイッチへ向かう方向に移動する。
【００１６】
また、請求項６記載の発明では、空気清浄機本体と、メンテナンス用の開閉カバーと、開閉カバーを開けたときに取り出し可能な空気フィルタとを有し、空気清浄機本体に通電をオンオフする安全スイッチを設け、開閉カバーに安全スイッチをオンオフするスイッチ押圧部を設けてなる空気清浄機において、空気フィルタに扉押し込み部を設け、空気清浄機本体には該押し込み部が押し込まれることで回転する回転扉を設けることで、空気フィルタの装着によって開口し空気フィルタの取り外しによって閉口する開閉部を空気清浄機本体に設け、この開閉部の開口に挿入可能な挿入片を開閉カバーに設けてなることを特徴として構成している。
【００１７】
このような空気清浄機では、空気フィルタを取り外した状態では開閉部が閉口しているので、挿入片を開口部内に挿入することができず、開閉カバーを空気清浄機本体に取り付けることができない。また、空気フィルタを装着した状態では、空気フィルタの扉押し込み部が回転扉を回転させることで開閉部が開口し、この開口に挿入片を挿入することで開閉カバーを空気清浄機本体に取り付けることができる。したがって、空気フィルタの有無を開閉カバーを取り付け可能か不可能かによって簡単に確認することができる。
【００１８】
【発明の実施の形態】
本発明の実施形態の空気清浄機を図１乃至図６に基づいて以下に説明する。
【００１９】
図１は、本発明の実施形態の空気清浄機を示す分解斜視図である。また、図２は、同上の空気清浄機の要部を示す縦断面図であり、（ａ）は開閉カバー２を外した状態、（ｂ）は開閉カバー２を装着した状態を示す。
【００２０】
図１乃至図２に示すように、この空気清浄機は、空気清浄機本体１と、メンテナンス用の開閉カバー２と、開閉カバー２を開けたときに取り出し可能な空気フィルタ３とを有し、空気清浄機本体１に通電をオンオフする安全スイッチ４を設け、開閉カバー２に安全スイッチ４をオンオフするスイッチ押圧部２ａを設けて形成されており、空気フィルタ３にスイッチ介在部３ａを設け、このスイッチ介在部３ａを介してスイッチ押圧部２ａが安全スイッチ４をオンするようにしている。
【００２１】
また、この空気清浄機は、空気フィルタ３の装着時にスイッチ介在部３ａが安全スイッチ４の前方に位置保持されるとともに、開閉カバー２の装着時にスイッチ押圧部２ａによりスイッチ介在部３ａが後方に押圧移動して安全スイッチ４をオンするようにしている。
【００２２】
空気清浄機本体１は、本体ケース、ファンを有している。本体ケースは略矩形箱状に形成され、上面の左右に網目状の吸入口１ａおよび排出口１ｂが併設され、前面下方に横長の開口を有する空気フィルタ収納部１ｃが形成されている。また、前面上方の左右に膨出部が形成され、膨出部内側にファンを収納するようにしている。また、本体ケースの内部に吸入口１ａから排出口１ｂへ通じる通気路が形成されている。この通気路は、吸入口１ａから下方に伸び、空気フィルタ収納部１ｃの一端に連通し、空気フィルタ収納部１ｃの他端から上方に伸びて排出口１ｂに通じている。
【００２３】
安全スイッチ４は、インターロックスイッチなどが用いられ、空気フィルタ収納部１ｃの入り口下方の空気清浄機本体１の底板上に設けられている。安全スイッチ４は、箱状の安全スイッチ４本体と、この安全スイッチ４本体の上面前端部に基端部を有し、斜め後方に立設され後方に倒れ可能に形成された棒状のスイッチ部４ａとから形成されており、スイッチ部４ａを後方に押し倒すことにより、安全スイッチ４がオフするようにしている。安全スイッチ４は、空気清浄機本体１の動作回路に接続され、安全スイッチ４のオフにより空気清浄機本体１の動作が停止する。
【００２４】
空気フィルタ３は、上下３段に分かれ、上から順に各々横長の略矩形板状の密フィルタ、取り付け枠、粗フィルタからなり、取り付け枠に密フィルタおよび粗フィルタを取り付けて形成されている。この空気フィルタ３は、空気清浄機本体１の空気フィルタ収納部１ｃに収納され、前後方向に取り出し及び格納できるようになっている。
【００２５】
スイッチ介在部３ａは、空気フィルタ３の下面前端部に垂下された板状に形成されており、空気フィルタ３の収納時には、その後面が安全スイッチ４のスイッチ部４ａを押圧してスイッチ部４ａを後方に押し倒すようにしている。また、空気フィルタ収納部１ｃ内の奥端部にはバネ等の弾性体（図示せず）が配置され、空気フィルタ３を空気フィルタ収納部１ｃに収納したときに、この弾性体により空気フィルタ３が前面方向に押圧され、スイッチ介在部３ａの後面が安全スイッチ４の前方に位置保持されている。そして、弾性体の弾力に抗して空気フィルタ３を後方に押し込んだときに、スイッチ介在部３ａが後方移動して安全スイッチ４のスイッチ部４ａを後方に押し倒すようにしている。
【００２６】
開閉カバー２は、空気清浄機本体１の前面と略同寸の広さを有する略矩形板状に形成され、空気清浄機本体１の前面に取り外し可能に取着されている。開閉カバー２の裏面下方にはスイッチ介在部３ａ前方に板状のスイッチ押圧部２ａが突設されている。
【００２７】
このような空気清浄機では、空気清浄機本体１の空気フィルタ収納部１ｃに空気フィルタ３を差し込み、空気フィルタ３奥端が弾性体に接触し、弾性体の弾性力に押されてスイッチ介在部３ａの後面が安全スイッチ４の前方に位置保持されている。この状態で開閉カバー２を空気清浄機本体１に取り付けるには、開閉カバー２の取り付け部を空気清浄機本体１の固定部に固定して取り付ける。このとき、スイッチ押圧部２ａの奥端がスイッチ介在部３ａを後方に押圧し、これによりスイッチ介在部３ａおよび空気フィルタ３本体が弾性体の弾力に抗して後方に移動する。このとき、後方移動したスイッチ介在部３ａが安全スイッチ４のスイッチ部４ａを後方に押し倒して安全スイッチ４がオフする。
【００２８】
また、空気フィルタ３の交換等のメンテナンス作業を行うときは、まず、開閉カバー２を取り外す。このとき、スイッチ押圧部２ａによる押圧がなくなり、弾性体の弾力により空気フィルタ３が前方に押し出される。空気フィルタ３の前方移動に伴ってスイッチ介在部３ａも前方移動し、安全スイッチ４のスイッチ部４ａが起立して安全スイッチ４がオンする。
【００２９】
このような空気清浄機では、空気フィルタ３が収納されていない状態で開閉カバー２を取り付けてある場合には、安全スイッチ４のスイッチ部４ａが起立して安全スイッチ４がオン状態を保持しているため、空気清浄機が動作しないので、空気フィルタ３の入れ忘れを知ることができるとともに、空気フィルタ３がある状態で正しく空気清浄機を動作させることができる。
【００３０】
なおスイッチ介在部３ａおよびスイッチ押圧部２ａの各接触部を互いに嵌合形状に形成しても良い。この場合、スイッチ介在部３ａおよびスイッチ押圧部２ａの各接触部を互いに嵌合形状に形成しているため、スイッチ介在部３ａおよびスイッチ押圧部２ａの各接触部が接触するときに、横ずれなどなく確実にスイッチ押圧部２ａがスイッチ介在部３ａを押圧できる。
【００３１】
図３、本発明の実施形態の同上と異なる空気清浄機を示す要部の断面図であり、（ａ）は開閉カバー２を外した状態、（ｂ）は開閉カバー２を装着した状態、（ｃ）は空気フィルタ３のない状態で開閉カバー２を装着した状態を示す。また、図４は、同上の空気清浄機の要部を示す斜視図である。
【００３２】
図３乃至図４に示すように、この空気清浄機は、同上に示すものと略同様の構成を有している。異なる点は、スイッチ介在部３ａを弾性体により形成し、スイッチ押圧部２ａの押圧による弾性変形によりスイッチ介在部３ａが押圧移動するようにしていることである。弾性体として例えばゴムや弾力のある樹脂等が用いられる。
【００３３】
スイッチ介在部３ａは、上下、前後方向に延びる矩形板状に形成され、奥端部が空気フィルタ３本体の側端部に垂設されている。このスイッチ介在部３ａは、例えば剛性体で形成されるフィルタ枠と二色成形により同時に形成される。また、スイッチ介在部３ａは、全体が弾性体であっても、フィルタとの接続部分のみが弾性体であってもよく、スイッチ介在部３ａが前後方向に可動できるようにしている。
【００３４】
また、この空気清浄機では、スイッチ介在部３ａの押圧移動の方向が安全スイッチ４へ向かう方向と一致するようガイドするガイド部１ｄ，６を空気清浄機本体１又は空気フィルタ３に設けている。まず、スイッチ介在部３ａの左右面に水平の棒体３ｂをそれぞれ突設させ、空気フィルタ３を空気フィルタ収納部１ｃに収納するときにこの両棒体３ｂが通過するよう、前後に長い溝状のガイド部１ｄ，６が空気フィルタ収納部１ｃを隣設している。ガイド部１ｄ，６の溝高さは棒体３ｂよりもやや大きく形成され、スイッチ介在部３ａの押圧移動の方向が安全スイッチ４へ向かう方向と一致するようにしている。
【００３５】
このような空気清浄機では、空気清浄機本体１の空気フィルタ収納部１ｃに空気フィルタ３を差し込み、空気フィルタ３奥端が空気フィルタ収納部１ｃの奥部に到達したときには、スイッチ介在部３ａの後面が安全スイッチ４のやや前方に位置保持されている。この状態で開閉カバー２を空気清浄機本体１に取り付ける。このとき、スイッチ押圧部２ａの奥端がスイッチ介在部３ａを後方に押圧し、これによりスイッチ介在部３ａが接続部から後方に折れ曲がって回動する。このとき、後方回動したスイッチ介在部３ａが安全スイッチ４のスイッチ部４ａを後方に押し倒して安全スイッチ４がオフする。
【００３６】
また、開閉カバー２を取り外したとき、スイッチ押圧部２ａによる押圧がなくなり、スイッチ介在部３ａが安全スイッチ４のやや前方の元に位置に戻される。このスイッチ介在部３ａの前方移動に伴って安全スイッチ４のスイッチ部４ａが起立して安全スイッチ４がオンする。
【００３７】
このような空気清浄機では、スイッチ介在部３ａを弾性体により形成し、スイッチ押圧部２ａの押圧による弾性変形によりスイッチ介在部３ａが押圧移動するようにしたため、スイッチ介在部３ａを弾性体により形成するだけで、簡単にスイッチ介在部３ａの後方への押圧移動を実現できる。また、スイッチ介在部３ａの押圧移動の方向が安全スイッチ４へ向かう方向と一致するようガイドするガイド部１ｄ，６を空気清浄機本体１又は空気フィルタ３に設けているため、押圧移動する安全スイッチ４がガイド部１ｄ，６にガイドされて確実に安全スイッチ４へ向かう方向に移動する。従って、スイッチ介在部３ａが押圧されたときに確実にスイッチ介在部３ａが安全スイッチ４を押圧できる。
【００３８】
なお、ガイド部１ｄ，６として（ｂ）に示すように、側面視略逆Ｌ字型のものを用い、接続部上方の空気フィルタ３枠側面に設けた固定孔３ｃにガイド部１ｄ，６の水平面部を挿入して固定するようにしてもよい。このとき、ガイド部１ｄ，６の垂直面部はスイッチ介在部３ａ側面との間に狭い隙間を形成しており、スイッチ介在部３ａが前後方向に移動可能に形成されているとともに、ガイド部１ｄ，６は、スイッチ介在部３ａの押圧移動の方向が安全スイッチ４へ向かう方向と一致するようガイドしている。
【００３９】
図５は、本発明の実施形態の同上と異なる空気清浄機を示す要部の断面図であり、（ａ）は開閉カバー２を外した状態、（ｂ）は開閉カバー２を装着した状態を示す。
【００４０】
図５に示すように、この空気清浄機は、同上に示すものと略同様の構成を有している。異なる点は、
空気フィルタ３にスイッチ介在部３ａを前方に押圧付勢する弾性材５を設け、この弾性材５の弾性力に抗するスイッチ押圧部２ａの押圧によりスイッチ介在部３ａが押圧移動するようにしていることである。
【００４１】
スイッチ介在部３ａは、前後に長い棒状の移動部とこの移動部の下側に垂設された押圧部とから構成されている。空気フィルタ３の前端部の下側に移動部を前後移動可能に収納する横穴状の移動部収納部が形成されている。移動部収納部は、下側が前後方向に沿って下方にスリット状に開口する開口部を有している。この開口部のスリット幅は、移動部の横幅よりも幅拡に、押圧部の根元部よりも幅狭に形成されており、移動部収納部に移動部を収納して前後に移動させたとき、押圧部は、先端側が開口部より下方に突出した状態で前後方向に移動する。移動部収納部の奥端にはコイルバネ１２などのバネ材からなる弾性材５が収納されている。また、移動部収納部の入り口付近の上面に移動部が移動部収納部から出ないようにストップ部材が垂設されている。ストップ部材は、例えばネジなどから形成され、移動部収納部の上面に設けたネジ孔に螺合させて取り付けられている。
【００４２】
このような空気清浄機では、空気清浄機本体１の空気フィルタ収納部１ｃに空気フィルタ３を差し込み、空気フィルタ３奥端が空気フィルタ収納部１ｃの奥部に到達したときには、移動部は弾性材５に押圧されてスイッチ介在部３ａの後面が安全スイッチ４のやや前方に位置保持されている。この状態で開閉カバー２を空気清浄機本体１に取り付ける。このとき、スイッチ押圧部２ａの奥端が弾性材５の弾力に抗してスイッチ介在部３ａの押圧部を後方に押圧し、スイッチ介在部３ａが後方移動する。このとき、後方移動したスイッチ介在部３ａが安全スイッチ４のスイッチ部４ａを後方に押し倒して安全スイッチ４がオフする。
【００４３】
また、開閉カバー２を取り外したとき、スイッチ押圧部２ａによる押圧がなくなり、弾性材５の弾力によりスイッチ介在部３ａが安全スイッチ４のやや前方の元に位置に戻される。このスイッチ介在部３ａの前方移動に伴って安全スイッチ４のスイッチ部４ａが起立して安全スイッチ４がオンする。
【００４４】
このような空気清浄機では、空気フィルタ３にスイッチ介在部３ａを前方に押圧付勢する弾性材５を設け、この弾性材５の弾性力に抗するスイッチ押圧部２ａの押圧によりスイッチ介在部３ａが押圧移動するようにしたため、空気フィルタ３の装着時には、弾性材５の弾性力によってスイッチ介在部３ａが安全スイッチ４の前方に位置保持され、開閉カバー２の装着時には、スイッチ押圧部２ａがスイッチ介在部３ａを後方に押圧することによって弾性材５が縮み、スイッチ介在部３ａが後方移動して安全スイッチ４をオンしている。この弾性材５によって簡単にスイッチ介在部３ａの後方への押圧移動を実現できる。
【００４５】
図６は、本発明の実施形態の同上と異なる空気清浄機を示す要部の分解斜視図である。
【００４６】
図６に示すように、この空気清浄機は、同上に示すものと略同様の構成を有している。異なる点は、空気フィルタ３の装着によって開口し空気フィルタ３の取り外しによって閉口する開閉部を空気清浄機本体１に設け、この開閉部の開口に挿入可能な挿入片２ｃを開閉カバー２に設けていることである。
【００４７】
開閉部は、略矩形板状に形成された回転扉７と、この回転扉７を横方向に回動可能に支持する空気清浄機に設けた扉支持部と、から構成されている。回転扉７は、略矩形板状の扉本体７ａの中央部の縦方向に回転軸７ｂを備えて形成されている。扉支持部は、空気清浄機本体１前面の空気フィルタ収納部１ｃの開口に隣設された回転扉７収納開口と、この回転扉７収納開口の上下の中央部に設けて回転軸７ｂを回動可能に支持する軸受け部と、回転扉７収納開口の右側の回転扉７裏側に設けられて回転扉７の右方向への回転を阻止するストッパ部とから形成されている。また、回転軸７ｂにはコイルバネ１２が装着され、コイルバネ１２のバネ力により回転扉７前面と空気清浄機本体１前面とが略面一になった状態、すなわち回転扉７が回転扉７収納開口を閉じた状態を保持できるようにしている。このバネ力に抗して回転扉７の左側部を後方に押し込むことで回転扉７が回転軸７ｂを中心に回動でき、この押し込みをしないときは、コイルバネ１２のバネ力によって回転扉７が元の状態に戻る。
【００４８】
また、空気フィルタ３の下側における回転扉７左側部に対応する位置に扉押し込み部が設けられ、開閉カバー２裏面における回転扉７右側部に対応する位置に挿入片２ｃが設けられている。
【００４９】
このような空気清浄機では、空気清浄機本体１の空気フィルタ収納部１ｃに空気フィルタ３を差し込んだときに、空気フィルタ３の扉押し込み部が回転扉７左側部を押し込み、これによって回転扉７が左方向に回転し、回転扉７の面方向が前後方向に保持される。このとき、回転扉７収納開口の右側が開口する。この開口に開閉カバー２の挿入片２ｃを差し込んで、開閉カバー２を空気清浄機本体１前面に取り付ける。
【００５０】
このような空気清浄機では、空気フィルタ３を取り外した状態では開閉部が閉口しているので、挿入片２ｃを開口部内に挿入することができず、開閉カバー２を空気清浄機本体１に取り付けることができない。また、空気フィルタ３を装着した状態では、開閉部が開口し、この開口に挿入片２ｃを挿入することで開閉カバー２を空気清浄機本体１に取り付けることができる。したがって、空気フィルタ３の有無を開閉カバー２を取り付け可能か不可能かによって簡単に確認することができる。
【００５１】
【発明の効果】
請求項１記載の発明では、空気フィルタが収納されていない状態で開閉カバーを取り付けてある場合には、安全スイッチのスイッチ部が起立して安全スイッチがオン状態を保持しているため、空気清浄機が動作しないので、空気フィルタの入れ忘れを知ることができるとともに、空気フィルタがある状態で正しく空気清浄機を動作させることができる。
【００５２】
請求項２記載の発明では、開閉カバーを取り付けた状態では、開閉カバーのスイッチ押圧部が空気フィルタから突設したスイッチ介在部を介して安全スイッチをオン状態に保持し、開閉カバーを取り外した状態では、開閉カバーのスイッチ押圧部が空気フィルタから突設したスイッチ介在部を押圧せずに安全スイッチをオフ状態に保持している。また、空気フィルタの装着時にスイッチ介在部が安全スイッチの前方に位置保持されるとともに、開閉カバーの装着時にスイッチ押圧部によりスイッチ介在部が後方に押圧移動して安全スイッチをオンするようにしたため、空気フィルタを装着して開閉カバーを装着しない状態では、スイッチ介在部が後方に押圧移動せず、安全スイッチの前方に位置保持されているため、空気フィルタの装着だけでは安全スイッチがオンせず安全になっている。
【００５３】
請求項３記載の発明では、スイッチ介在部を弾性体により形成し、スイッチ押圧部の押圧による弾性変形によりスイッチ介在部が押圧移動するようにしたため、スイッチ介在部を弾性体により形成するだけで、簡単にスイッチ介在部の後方への押圧移動を実現できる。
【００５４】
請求項４記載の発明では、空気フィルタにスイッチ介在部を前方に押圧付勢する弾性材を設け、この弾性材の弾性力に抗するスイッチ押圧部の押圧によりスイッチ介在部が押圧移動するようにしたため、空気フィルタの装着時には、弾性材の弾性力によってスイッチ介在部が安全スイッチの前方に位置保持され、開閉カバーの装着時には、スイッチ押圧部がスイッチ介在部を後方に押圧することによって弾性材が縮み、スイッチ介在部が後方移動して安全スイッチをオンしている。この弾性材によって簡単にスイッチ介在部の後方への押圧移動を実現できる。
【００５５】
請求項５記載の発明では、スイッチ介在部の押圧移動の方向が安全スイッチへ向かう方向と一致するようガイドするガイド部を空気清浄機本体又は空気フィルタに設けているため、押圧移動する安全スイッチがガイド部にガイドされて確実に安全スイッチへ向かう方向に移動する。従って、スイッチ介在部が押圧されたときに確実にスイッチ介在部が安全スイッチを押圧できる。
【００５６】
請求項６記載の発明では、空気フィルタを取り外した状態では開閉部が閉口しているので、挿入片を開口部内に挿入することができず、開閉カバーを空気清浄機本体に取り付けることができない。また、空気フィルタを装着した状態では、空気フィルタの扉押し込み部が回転扉を回転させることで開閉部が開口し、この開口に挿入片を挿入することで開閉カバーを空気清浄機本体に取り付けることができる。したがって、空気フィルタの有無を開閉カバーを取り付け可能か不可能かによって簡単に確認することができる。
【図面の簡単な説明】
【図１】本発明の実施形態の空気清浄機を示す分解斜視図である。
【図２】同上の空気清浄機の要部を示す縦断面図であり、（ａ）は開閉カバーを外した状態、（ｂ）は開閉カバーを装着した状態を示す。
【図３】本発明の実施形態の同上と異なる空気清浄機を示す要部の断面図であり、（ａ）は開閉カバーを外した状態、（ｂ）は開閉カバーを装着した状態、（ｃ）は空気フィルタのない状態で開閉カバーを装着した状態を示す。
【図４】同上の空気清浄機の要部を示す斜視図である。
【図５】本発明の実施形態の同上と異なる空気清浄機を示す要部の断面図であり、（ａ）は開閉カバーを外した状態、（ｂ）は開閉カバーを装着した状態を示す。
【図６】本発明の実施形態の同上と異なる空気清浄機を示す要部の分解斜視図である。
【図７】従来の空気清浄機を示す分解斜視図である。
【符号の説明】
１    空気清浄機本体
１ａ    吸入口
１ｂ    排出口
１ｃ    空気フィルタ収納部
１ｄ    ガイド部
２    開閉カバー
２ａ    スイッチ押圧部
３    空気フィルタ
３ａ    スイッチ介在部
３ｂ    棒体
３ｃ    固定孔
４    安全スイッチ
４ａ    スイッチ部
５    弾性材
６    ガイド部
７    回転扉
７ａ    扉本体
７ｂ    回転軸
１２    コイルバネ
【図１】
0003843737.tif 000002
【図２】
0003843737.tif 000003
【図３】
0003843737.tif 000004
【図４】
0003843737.tif 000005
【図５】
0003843737.tif 000006
【図６】
0003843737.tif 000007
【図７】
0003843737.tif 000008